(57)【要約】【課題】  水抜き孔が詰まりにくくなるように毛髪を捕集することが可能で、お手入れが容易なヘアキャッチャーを提供する。【解決手段】  浴室の洗い場に設けられた排水口に設置されるヘアキャッチャーであって、底面に水抜き孔が形成され、水を滞留可能なボウル部と、前記ボウル部の上部に配設されて、前記ボウル部から溢れた水を排水管に流出させるオーバーフロー流出部と、前記オーバーフロー流出部の上部に形成されたフランジ部と、を備え、前記ボウル部は、１３ｍｍ〜２７ｍｍの深さを有する略半球形状とした。【選択図】  図３
2013249614.tif 000002
【特許請求の範囲】
【請求項１】
浴室の洗い場に設けられた排水口に設置されるヘアキャッチャーであって、
底面に水抜き孔が形成され、水を滞留可能なボウル部と、
前記ボウル部の上部に配設されて、前記ボウル部から溢れた水を排水管に流出させるオーバーフロー流出部と、
前記オーバーフロー流出部の上部に形成されたフランジ部と、
を備え、
前記ボウル部は、１３ｍｍ〜２７ｍｍの深さを有する略半球形状としたことを特徴とするヘアキャッチャー。
【請求項２】
前記ボウル部の底部に、前記ボウル部の深さと略同一寸法の直径の底面部を設けたことを特徴とする請求項１記載のヘアキャッチャー。
【請求項３】
前記オーバーフロー流出部から前記ボウルにかけての内面を滑らかに連接させたことを特徴とする請求項１又は２に記載のヘアキャッチャー。
【発明の詳細な説明】
【技術分野】
【０００１】
本発明の態様は、浴室の洗い場の排水口に設置されるヘアキャッチャーに関する。
【背景技術】
【０００２】
一般的に、例えば浴室の洗い場に設置される排水トラップは、トラップ本体と封水筒とにより封水を形成し、排水トラップの下流側の臭気や害虫類などが室内に流入することを防止している。また、水が排水トラップ内に流入する開口には、毛髪などのごみ類を捕集するために、網目状のヘアキャッチャーが着脱可能に取り付けられている。このように、開口に取り付けられたヘアキャッチャーは、排水トラップ内に毛髪などのごみ類が流入することを抑えることができる。
【０００３】
しかし、ヘアキャッチャーにより捕集された毛髪などは、水の流れで網目から押し出され、網に引っ掛かる場合がある。また、毛髪や汚れなどは、網目に蓄積していき、隣の網目から押し出された毛髪と固着する場合がある。すると、ヘアキャッチャーにより捕集された毛髪などを除去することが大きな手間となるという問題がある。また、網目が毛髪や汚れなどで詰まり、排水能力が低下するという問題がある。
【０００４】
これに対して、開孔を有する底面と、底面より上方へと立設される周壁と、を備え、周壁が垂直方向に下から壁部領域と開孔領域とを有するヘアキャッチャーがある（特許文献１）。また、すり鉢の形状の底部に、周方向に多数の孔を穿設されてなる底メッシュ部と、底メッシュ部の上方に孔が形成されていない非メッシュ部と、非メッシュ部の上方に、周方向に多数の孔を穿設してなる中間メッシュ部とを備えるヘアキャッチャーがある（特許文献２）。また、水抜き孔を有する保水部と、上部排水流出部と、排水が渦を巻くように流入させる排水導入部と、を備えたヘアキャッチャーがある（特許文献３）。
【０００５】
しかし、特許文献１に記載されたヘアキャッチャーでは、毛髪は、底面と周壁とのコーナー部に偏ってしまうため、ヘアキャッチャーを外してひっくり返すだけでは、毛髪が落ちてこないことがあり、ヘアキャッチャーのお手入れに改善の余地があった。
また、特許文献２に記載されたヘアキャッチャーでは、毛髪は底メッシュ上に重なるように溜まるため、底メッシュが詰まる恐れがあり、毛髪が溜まらないように日常的にお手入れをする必要があった。
また、特許文献３に記載されたヘアキャッチャーでは、排水導入部により水が側面に沿って流れるため、側面に髪の毛が溜まりやすくなるうえ、一時保水部内で浮遊した毛髪が底に集まるため、固着した毛髪で水抜き孔が詰まる恐れがあり、毛髪が溜まらないように日常的にお手入れをする必要があった。
【先行技術文献】
【特許文献】
【０００６】
【特許文献１】特開２００９−１５０１１１号公報
【特許文献２】特開２０１１−２３１５０７号公報
【特許文献３】特開２００９−１６７７８３号公報
【発明の概要】
【発明が解決しようとする課題】
【０００７】
本発明は、かかる課題の認識に基づいてなされたものであり、水抜き孔が詰まりにくくなるように毛髪を捕集することが可能で、お手入れが容易なヘアキャッチャーを提供することを目的とする。
【課題を解決するための手段】
【０００８】
請求項１の発明は、浴室の洗い場に設けられた排水口に設置されるヘアキャッチャーであって、底面に水抜き孔が形成され、水を滞留可能なボウル部と、前記ボウル部の上部に配設されて、前記ボウル部から溢れた水を排水管に流出させるオーバーフロー流出部と、前記オーバーフロー流出部の上部に形成され、前記排水トラップに係合可能なフランジ部と、を備え、前記ボウル部は、１３ｍｍ〜２７ｍｍの深さを有する略半球形状としたものである。
ここで、「略半球形状」とは、完全な球体を二分割した形状に限定したものではなく、後述するような実施形態に表した形状を含むものである。
これによれば、ヘアキャッチャーに毛髪等がたまるにつれ、毛髪等は立体的な球状にまとまるように成長する。そのため、従来のようにヘアキャッチャーの底面部に毛髪等が平面状に積層されることがなくなる。よって、毛髪等がヘアキャッチャーに絡みつきにくく、毛髪等を容易に除去することができる。
なお、「球状」とは、真球、楕円球、まゆ型、など、丸みをもった立体的な形状を指すものである。
また、ヘアキャッチャーの底面部に毛髪等が平面状に積層されることがないので、平面状に積層された毛髪等で水抜き孔が塞がれることがなく、ヘアキャッチャーの水はけが良好となる。そのため、ボウル部に水がたまりにくく、毛髪等の乾燥が促進され、ヘアキャッチャーから毛髪等を簡単に取り出すことができる。
したがって、ヘアキャッチャーのお手入れの頻度を下げても、ヘアキャッチャーのお手入れを容易に行うことが可能となる。
【０００９】
請求項２の発明は、前記ボウル部の底部に、前記ボウル部の深さと略同一寸法の直径の底面部を設けたものである。
これによれば、ボウル部の底面部にリング状にたまった毛髪等が、ボウル部に溜まった水に洗い場から流れ込む水流によって毛髪等が縦及び斜め方向に回転しやすくなり、毛髪等が球状にまとまるのを促進することが可能となる。
【００１０】
請求項３の発明は、前記オーバーフロー流出部から前記ボウル部にかけての内面を滑らかに連接させたものである。
これによれば、ボウル部内に流れ込む水をボウル部に沿って勢いよく流すことができるので、毛髪等がよりまとまりやすいものとなる。
【発明の効果】
【００１１】
本発明の態様によれば、水抜き孔が詰まりにくくなるように毛髪を捕集することが可能で、お手入れが容易なヘアキャッチャーが提供される。
【図面の簡単な説明】
【００１２】
【図１】本発明の実施の形態にかかるヘアキャッチャーが設けられた排水トラップを表す模式的断面図である。
【図２】本実施形態にかかるヘアキャッチャーを表す模式的斜視図である。
【図３】本実施形態にかかるヘアキャッチャーに捕集された毛髪等の状態を説明する模式的断面図である。
【図４】ボウル部の内面における毛髪等の状態を説明する模式的断面図である。
【図５】本実施形態のヘアキャッチャーと封水筒とが係合した状態を表す模式的断面図である。
【図６】本実施形態の取っ手の部分の水の流れを説明する模式的斜視図である。
【図７】本発明者が実施した実験の結果の一例を例示する写真図である。
【発明を実施するための形態】
【００１３】
以下、本発明の実施の形態について図面を参照しつつ説明する。なお、各図面中、同様の構成要素には同一の符号を付して詳細な説明は適宜省略する。
図１は、本発明の実施の形態にかかるヘアキャッチャーが設けられた排水トラップを表す模式的断面図である。
また、図２は、本実施形態にかかるヘアキャッチャーを表す模式的斜視図である。
【００１４】
本実施形態にかかるヘアキャッチャー２００は、浴室の洗い場５００に設置された排水口５１０に設けられる。
【００１５】
排水口５１０は、洗い場５００から流れ込む水をヘアキャッチャー２００に導く排水傾斜面１２１を備えている。
【００１６】
図１に表したように、本実施形態にかかるヘアキャッチャー２００は、排水トラップ１００に設けられている。排水トラップ１００は、排水トラップ本体１１０と、封水筒１２０と、を備え、封水Ｗを形成することができる。これにより、排水トラップ１００は、排水トラップ１００の下流側の臭気や害虫類などが浴室内に流入することを防止している。
【００１７】
ヘアキャッチャー２００は、排水トラップ１００の封水筒１２０に着脱可能に取り付けられ、浴室の洗い場から流入する毛髪や汚れなどのごみ類（以下、説明の便宜上「毛髪等」と称する）を捕集することができる。ヘアキャッチャー２００は、ボウル部２１０と、オーバーフロー流出部２２０と、フランジ部２３０と、を備える。
【００１８】
ボウル部２１０は、すり鉢状を呈し、流入する水が滞留可能とされている。すなわち、ボウル部２１０は、浴室の洗い場から流入する水を溜めることができる。図１に表したように、ボウル部２１０の側面は、水平面に対して傾斜した略球体状であり、ボウル部２１０の下部の側面の水平面に対する傾斜角度は、ボウル部２１０の上部の側面の水平面に対する傾斜角度よりも小さい。言い換えれば、ボウル部２１０の上部から下部へ向かうにつれて、ボウル部２１０の側面の水平面に対する傾斜角度は、漸減する。また、ボウル部２１０の深さは１８ｍｍである。
【００１９】
また、図２に表したように、ボウル部２１０は、底面部２１１に形成された水抜き孔２１３を有する。水抜き孔２１３は、底面部２１１を貫通する円形状の貫通孔を有する。底面部２１１には、複数の水抜き孔２１３が設けられている。この水抜き孔２１３は、底面部２１１の中心を軸として円を描くように設けられている。その円は、本実施形態では直径が約２０ｍｍである。
【００２０】
オーバーフロー流出部２２０は、ボウル部２１０の上部から上方へ延出し、ボウル部２１０から溢れた水を排水管３１０（図１参照）に流出させる。なお、本願明細書において「水」という場合には、冷水のみならず、加熱されたお湯も含むものとする。
【００２１】
図１に表したように、オーバーフロー流出部２２０の側面は、水平面に対して傾斜している。オーバーフロー流出部２２０の側面の水平面に対する傾斜角度は、例えば約１５〜９０°程度である。オーバーフロー流出部２２０の下部の側面の水平面に対する傾斜角度は、オーバーフロー流出部２２０の上部の側面の水平面に対する傾斜角度よりも大きい。言い換えれば、オーバーフロー流出部２２０の上部から下部へ向かうにつれて、オーバーフロー流出部２２０の側面の水平面に対する傾斜角度は、漸増する。
【００２２】
フランジ部２３０は、オーバーフロー流出部２２０の上部に形成され、排水トラップ１００の封水筒１２０の開口縁部１２２と係合可能である。
【００２３】
図２に表したように、オーバーフロー流出部２２０は、縦リブ２２１と、横リブ２２３と、を有する。縦リブ２２１は、ボウル部２１０とフランジ部２３０とを連結している。また、オーバーフロー流出部２２０には、複数の縦リブ２２１が設けられている。横リブ２２３は、複数の縦リブ２２１同士を水平方向に連結している。複数の縦リブ２２１同士は、互いに離隔して設けられている。また、複数の横リブ２２３が設けられた場合には、その複数の横リブ２２３同士は、互いに離隔して設けられている。そのため、図２に表したように、オーバーフロー流出部２２０は、格子状の開口部２２５を有する。開口部２２５の開口面積は、水抜き孔２１３の開口面積よりも広い。
なお、オーバーフロー流出部２２０の形態は、縦リブ２２１と横リブ２２３とを組み合わせた形態に限定されない。
【００２４】
図３は、本実施形態にかかるヘアキャッチャーに捕集された毛髪等の状態を説明する模式的断面図である。
また、図４は、ボウル部の内面における毛髪等の状態を説明する模式的断面図である。
なお、図３（ａ）は、水が流入しているときの毛髪等の状態を説明する模式的断面図である。図３（ｂ）は、水の流入が少なくなったときの毛髪等の状態を説明する模式的断面図である。
【００２５】
図３（ａ）に表したように、本実施形態にかかるヘアキャッチャー２００は、浴室の洗い場から流入する毛髪等３５０を捕集することができる。ここで、図３に表した矢印Ａ１のように水抜き孔２１３から排出される水の量が、流入する水の量よりも少ない場合には、ボウル部２１０に水が溜まる。すると、図３（ａ）に表したように、捕集された毛髪等３５０は量が少ないうちは、ボウル部２１０に溜まった水に浮くことができる。
【００２６】
また、水抜き孔２１３の開口面積が開口部２２５の開口面積よりも狭いため、水がボウル部２１０に溜まりやすい。一方で、開口部２２５の開口面積が水抜き孔２１３の開口面積よりも広いため、図３（ａ）に表した矢印Ａ７および矢印Ａ８のように、ボウル部２１０から溢れた水を開口部２２５からより確実にオーバーフローさせることができる。これにより、水が洗い場へ溢れることを抑えることができる。これによれば、毛髪等３５０が水抜き孔２１３に引っ掛かったり、絡みついたりすることを抑えることができる。また、毛髪等３５０が水抜き孔２１３において固着することを抑えることができるため、水抜き孔２１３が毛髪等３５０により塞がれることを抑えることができる。
【００２７】
また、図１および図２に関して前述したように、オーバーフロー流出部２２０の側面は、水平面に対して傾斜している。そのため、図１に表した矢印Ａ３および矢印Ａ４、ならびに図３に表した矢印Ａ５および矢印Ａ６のように、流入する水は、勢いをもってオーバーフロー流出部２２０を通過する。そのため、毛髪等３５０がオーバーフロー流出部２２０に絡みつくことを抑えることができる。また、石鹸かすなどの汚れがオーバーフロー流出部２２０に付着あるいは固着することを抑えることができる。これにより、オーバーフロー流出部２２０に付着した汚れによって毛髪が捕捉されることを抑え、ボウル部２１０から溢れた水を開口部２２５からより一層確実にオーバーフローさせることができる。そのため、水が洗い場へ溢れることをより確実に抑えることができる。
【００２８】
また、図２に表したように、縦リブ２２１の内面（流入する水が流れる側の面）は、横リブ２２３の内面（流入する水が流れる側の面）よりも上方あるいは内側に位置する。言い換えれば、横リブ２２３は、縦リブ２２１よりも後退して設けられている。そのため、流入する水の流れが横リブ２２３により阻害されることを抑えることができる。これにより、毛髪等３５０がオーバーフロー流出部２２０に絡みついたり、オーバーフロー流出部２２０の開口部２２５から毛髪等３５０が流出することを抑えることができる。
【００２９】
また、図１および図２に関して前述したように、オーバーフロー流出部２２０の下部の側面の水平面に対する傾斜角度は、オーバーフロー流出部２２０の上部の側面の水平面に対する傾斜角度よりも大きい。そのため、図１に表した矢印Ａ３および矢印Ａ４、ならびに図３に表した矢印Ａ５および矢印Ａ６のように、流入する水は、排水トラップ１００の封水筒１２０の表面およびオーバーフロー流出部２２０の傾斜に沿って流れる。そのため、水の流れの勢いにより、ボウル部２１０に溜まった毛髪等３５０がオーバーフロー流出部２２０に戻ることを抑えることができる。これによれば、毛髪等３５０がオーバーフロー流出部２２０の開口部２２５に引っ掛かったり、絡みついたりすることを抑えることができる。また、オーバーフロー流出部２２０の開口部２２５から毛髪等３５０が流出することを抑えることができる。
【００３０】
また、図１および図２に表したように、オーバーフロー流出部２２０の下部は、ボウル部２１０と滑らかに連接されている。そのため、洗い場５００から流れ込む水は、オーバーフロー流出部２２０の内面からボウル部２１０の内面に沿って勢いよく流れる。この勢いをもって流入する水の流れにより、毛髪等３５０は、ボウル部２１０においてまとまる。つまり、毛髪がボウル部２１０でまとまり、汚れと一緒になる。さらに、図１および図２に関して前述したように、ボウル部２１０は、略半球状となったすり鉢状を呈する。また、図２に表したように、複数の水抜き孔２１３は底面部２１１上で円状に並び、底面部２１１の中央部には形成されていない。そして、ボウル部２１０の下部の側面の水平面に対する傾斜角度は、ボウル部２１０の上部の側面の水平面に対する傾斜角度よりも小さい。そのため、毛髪等３５０がボウル部２１０において集まりやすい。また、ボウル部２１０に溜まる水に毛髪等３５０を浮かせてひとまとまりにすることができる。これにより、毛髪等３５０がオーバーフロー流出部２２０の格子状の開口部２２５に引っ掛かったり、絡みついたりすることをより一層抑えることができる。また、オーバーフロー流出部２２０の開口部２２５から毛髪等３５０が流出することを抑えることができる。
【００３１】
続いて、流入する水の量が水抜き孔２１３から排出される水の量よりも少なくなると、図３（ｂ）に表した矢印Ａ１１のように、ボウル部２１０に溜まっていた水は、水抜き孔２１３から排出される。すると、図３（ｂ）に表したように、捕集された毛髪等３５０は、ボウル部２１０に乗った状態となる。この際、毛髪等３５０の量が少ないうちは、毛髪等３５０はボウル部２１０の底面部２１１上に円状に並んだ水抜き孔２１３に沿って円状にまとまる。本実施形態においては、約２０ｍｍの直径のリング状にまとまる。
【００３２】
ここで、図４（ｂ）に表したように、ボウル部２１０の内面にリブなどが設けられず凹凸が形成されていない場合には、ボウル部２１０の内面と毛髪等３５０との接触面積は、より広い。そのため、まとまった毛髪等３５０は、ボウル部２１０の内面に付着しやすい。すると、排水トラップ１００から外したヘアキャッチャー２００を反転させても、捕集した毛髪等３５０を容易に除去できない場合がある。
【００３３】
これに対して、図１および図２に表したように、本実施形態のオーバーフロー流出部２２０の縦リブ２２１は、ボウル部２１０の内面まで延在し、ボウル部２１０の内面に凹凸を形成している。そのため、図４（ａ）に表したように、毛髪等３５０は、ボウル部２１０の内面まで延在した縦リブ２２１に乗った状態となる。これによれば、ボウル部２１０の内面と毛髪等３５０との接触面積を抑えることができ、毛髪等３５０はヘアキャッチャー２００への固着を抑制することが可能となる。
【００３４】
次に、毛髪等３５０が溜まった場合について説明する。
ボウル部２１０内でリング状にまとまった毛髪等３５０は、量が増えるにつれて、ボウル部２１０内の水の流れを受けてその挙動が変化する。
最初の内は、リング状にまとまった毛髪等３５０は水の動きを受けてもほぼ平面内で回転する挙動をみせ、リング状のまとまりのままである。ところが、毛髪等３５０の量が増えてくると、毛髪等３５０はリングの中にも毛髪が存在する円状にまとまるようになる。円状にまとまった毛髪等３５０は、水の流れを受けてボウル部２１０内で縦方向に回転する挙動をみせるようになる。そして、この縦方向の回転を繰り返すうちに、円状の毛髪等３５０が立体的な球状にまとまるようになる。なお、縦方向の回転とは、鉛直面内で回転するものに限定されず、回転方向が斜めに傾斜したものを含むものである。
立体的な球状にまとまった毛髪等３５０は、平面的な円状にまとまった場合よりもヘアキャッチャー２００との接触面積が小さくなる。そのため、ヘアキャッチャー２００から毛髪等３５０を容易に取り出すことが可能となる。
【００３５】
表１は、ボウル部２１０の深さを変えて毛髪等３５０のまとまり状況を観察した結果を示すものである。
表１に示すように、ボウル部２１０の深さが１６ｍｍ及び２２ｍｍの場合には、ボウル部２１０内で毛髪等３５０が縦方向に回転する挙動をみせ、毛髪等３５０が立体的な球状にまとまる。そのため、毛髪等３５０をヘアキャッチャー２００から極めて容易に取り出すことができた。
一方、ボウル部２１０の深さが１２ｍｍと浅いと毛髪等３５０は球状にまとまらず、円状にまとまる。そのため、球状のものと比べると、ヘアキャッチャー２００からの毛髪等３５０の取出しやすさは低下する。これは、直径約２０ｍｍのリング状あるいは円状にまとまった毛髪等３５０が、浅いボウル部２１０では縦方向に回転しにくいからと推察される。すなわち、毛髪等３５０が球状にまとまるのは、ボウル部２１０の深さが底面部２１１に複数の水抜き孔２１３が円状に並んだ際の直径（本実施形態では約２０ｍｍ）に依存するものと考えられる。もしくは、ボウル部２１０内でリング状あるいは円状にまとまった毛髪等３５０の直径（本実施形態では約２０ｍｍ）に依存するものと考えられる。
また、ボウル部２１０の深さが２８ｍｍと深くても毛髪等３５０は球状にまとまらず、円状にまとまる。そのため、球状のものと比べると、ヘアキャッチャー２００からの毛髪等３５０の取出しやすさは低下する。これは、ヘアキャッチャー２００の上から流れ込む水の流れがボウル部２１０の底まで勢いよく流れ込まず、リング状あるいは円状にまとまった毛髪等３５０が縦方向に回転しにくいからと推察される。
【表１】
2013249614.tif 000003
【００３６】
図５は、本実施形態のヘアキャッチャーと封水筒とが係合した状態を表す模式的断面図である。  
【００３７】
本実施形態にかかるヘアキャッチャー２００が排水トラップ１００の封水筒１２０に取り付けられた状態では、図５に表した領域Ｂ１および領域Ｂ２のように、ヘアキャッチャー２００のフランジ部２３０と、排水トラップ１００の封水筒１２０と、が係合している。そのため、ヘアキャッチャー２００を排水トラップ１００から取り外す場合には、ヘアキャッチャー２００の上端部に設けられた取っ手２４０を利用し、ヘアキャッチャー２００を傾けて斜め上方へスライドさせることで取り外すことができる。
【００３８】
ここで、図５に表したように、多量の毛髪等３５０が平面状に広がって堆積すると、水抜き孔２１３が毛髪等３５０により塞がることがある。すると、毛髪等３５０を除去するときに、水がボウル部２１０に溜まっていることがある。その場合、毛髪等３５０は乾燥せず濡れたままなので、お手入れ時にヘアキャッチャー２００を排水トラップ１００から取り外して反転させる、あるいはひっくり返したとしても、濡れた毛髪等３５０はヘアキャッチャー２００から取れることなく残ってしまい、捕集した毛髪等３５０を容易に除去することができない。
【００３９】
これに対して、本実施形態によれば、毛髪等３５０が溜まってくると、リング状のまとまりから円状のまとまりを経て、球状のまとまりに変化する。そのため、毛髪等３５０が平面状に堆積するようにまとまることがない。そのため、ボウル部２１０に残水しにくく、毛髪等３５０は球状に乾燥した状態となる。よって、ヘアキャッチャー２００を反転させる、あるいはひっくり返すだけで、毛髪等３５０を容易に除去することができる。
【００４０】
図６は、本実施形態の取っ手の部分の水の流れを説明する模式的斜視図である。
【００４１】
本実施形態の取っ手２４０は、ヘアキャッチャー２００の上端部に設けられている。また、取っ手２４０の上面２４５は、封水筒１２０の上面１２１に略沿うように形成されている。そのため、図６に表した矢印Ａ１２のように、取っ手２４０の上面２４５を流れる水の流れが取っ手２４０により阻害されることを抑えることができる。また、取っ手２４０の上面２４５を流れる水の流れに対する取っ手２４０の幅Ｄ１は、比較的長い。そのため、毛髪等３５０が取っ手２４０に引っ掛かったり、絡みついたりすることを抑えることができる。
なお、図１に表したように、取っ手２４０の下面２４７は排水口５１０の傾斜排水面１２１に沿う形態となっている。そのため、傾斜排水面１２１と取っ手２４０の下面２４７との間には毛髪等３５０が絡みにくい。これにより、ヘアキャッチャー２００はさらにお手入れしやすいものとなる。
【００４２】
図７は、本発明者が実施した実験の結果の一例を例示する図である。
【００４３】
図７に表した図は、ヘアキャッチャー２００に毛髪等３５０が捕集されていく様子を一日毎に示したものである。なお、この実験は、３人家族が毎日入浴して洗髪した結果を記録したものである。
１日目、２日目をみると、初期段階では、毛髪等３５０はリング状にまとまることが観察できる。その後、使用を続けると、６日目あたりでリング状から円状へとまとまり方に変化をみせ、さらに、１０日目あたりから毛髪等３５０は球状にまとまり始め、１６日を過ぎると、ほぼ球状となることが観察できる。
立体的な球状にまとまった毛髪等３５０は、ボウル部２１０の水抜き孔２１３を塞ぐことがないため、ボウル部２１０に残水しにくく、毛髪等３５０の乾燥が促進される。毛髪等３５０が乾燥すれば、ヘアキャッチャー２００に絡むことはなく、また、固着することもない。そのため、ヘアキャッチャーを排水口から取り外して反転させるだけで、捕集した毛髪等３５０を簡単に捨てることができた。
【００４４】
以上、説明したとおり、本実施形態のヘアキャッチャー２００は、毛髪等３５０の量が少ないうちはリング状にまとまるが、毛髪等３５０がたまるにつれ、毛髪等３５０は立体的な球状にまとまるように成長する。そのため、従来のようにヘアキャッチャー２００の底面部２１１に毛髪等３５０が平面状に積層されることがなくなる。よって、毛髪等３５０がヘアキャッチャー２００に絡みつきにくく、毛髪等３５０を容易に除去することができる。
また、ヘアキャッチャー２００の底面部２１１に毛髪等３５０が平面状に積層されることがないので、平面状に積層された毛髪等３５０で水抜き孔２１３が塞がれることがなく、ヘアキャッチャー２００の水はけが良好となる。そのため、ボウル部２１０に水がたまりにくく、毛髪等３５０の乾燥が促進され、ヘアキャッチャー２００から毛髪等３５０を簡単に取り出すことができる。
したがって、ヘアキャッチャー２００のお手入れの頻度を下げても、お手入れを容易に行うことが可能となる。
【００４５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００４６】
２００  ヘアキャッチャー
２１０  ボウル部
２１１  底面部
２１３  水抜き孔
２２０  オーバーフロー流出部
２３０  フランジ部
３１０  排水管
３５０  毛髪等
５００  洗い場
５１０  排水口
【図１】
2013249614.tif 000004
【図２】
2013249614.tif 000005
【図３】
2013249614.tif 000006
【図４】
2013249614.tif 000007
【図５】
2013249614.tif 000008
【図６】
2013249614.tif 000009
【図７】
2013249614.tif 000010